(57)【要約】      （修正有）【課題】胴体にフィットし、着脱とおむつ交換が容易なペット用おむつカバーを提供する。【解決手段】布または紙、ポリエチレン系フィルムとポリエステル等の不織布にて形成した、腹部を帯状に巻きつける主ベルトＡと、股下から尻尾の下まで密着する股当て部分Ｂと、それにつながる二本の副ベルトＣ，Ｄを尻尾の上でたすきがけにして腹部に巻きつけた主ベルトに留めつける方法により、上記課題を解決するものである。【選択図】図３
0003123043.tif 000002
【実用新案登録請求の範囲】
【請求項１】
通気性、脱臭性のあるクッション材にて形成された中央腹当部及び、この中央腹当部とほぼ同幅に形成され、且つ両端に面状ファスナー、接着テープなどの平面接着部材を備え腹部に巻きつける幅広の主ベルトと、更にこの幅広の主ベルトの中央に上端を連ね腹当部と同様の通気性、脱臭性のあるクッション材を備えた幅狭の尻当部と、その尻当部からそれぞれの下端に面状ファスナー、接着テープなどの平面接着部材を備えた二股状に繋げた副ベルトを有し、尻当部と二本の副ベルトを逆Ｙ字型に形成するように繋げ、二本の副ベルトを尻尾の上でたすきがけにした後に副ベルトの下端に設けた平面接着部材を受けるもう一方の平面接着部材を主ベルトの合わせ目近くに二箇所設けて、伸縮性のある表側層と裏側層とで一体化した形状を特徴とするペット用おむつカバー。
【請求項２】
中央腹当部と尻当部に水分吸収材を備えた、紙や不織布等を用いて形成したことを特徴とする請求項１記載のペット用おむつカバー。
【考案の詳細な説明】
【技術分野】
【０００１】
本考案は布または紙、ポリエチレン系フィルムとポリエステル等の不織布からなるペット用おむつカバーに関する。
【背景技術】
【０００２】
医療の進歩や栄養・飼育環境の向上により、ペットの寿命が延び高齢化がすすんできた。しかしながら人間と同様に長く病を患ったり、寝たきりの状態が長引いたりして介護を必要とするペットが年々増える傾向にある。その際に飼い主の一番の負担が糞・尿の始末である。
わずかでも歩行が可能なペットは、本能と躾の成果により、ペット用トイレなど決まった場所に用をたしに行こうとするが、間に合わないことがある。歩行が不可能な場合は、しぐさなどで察知できることもあるが、つきっきりで見守っていなければならない。
また、ペットの状態によってはもよおすという感覚が失われている場合もある。
【０００３】
したがって、飼い主は看病と糞尿で汚れた敷物や床、ペット用トイレとその周囲の清掃に時間が費やされ、長引くと疲労が蓄積される。さらに大型犬ともなると体重が２０ｋｇを超えるものも少なくなく、敷物の交換だけでも大きな労力を要する。
同時にペットは本来きれい好きと言われている種類もあり、糞尿の汚れはそれらのペットにとっても不快であると推測される。
このような状態は人間同様、介護する人と、介護されるペットにとって好ましいことではない。
【０００４】
現在介護をしている飼い主は、ボロ布を腹部から尻尾にかけて敷き、汚れたらゴミとともに処分する、あるいは市販のペット用使い捨ておむつを利用していることが多い。
しかし、ボロ布は容易にずれてしまうし、ゴミとして処分することはいたずらにゴミを増やすことになり、環境上また衛生上好ましいことではない。
また、市販のペット用使い捨ておむつの現在の主流は、人間の乳幼児用と同じような形状に尻尾を通す穴が開いているものである。これは吸収性には優れているが、サイズ調整は胴回りの両脇の接着テープのみであるため、胴回りの太さ、尻尾の太さや位置に対応しきれず、窮屈になったり、ゆとりの部分が多くなりすぎたりしてしまう。
【０００５】
サイズ調整は重要で、サイズが合わなければおむつとしての機能を果たさないだけではなく歩行を妨げたり、可動範囲を狭めたりするおそれがある。よって、規格からはずれた大きさのペットの飼い主は、自身のペットに合うおむつを探すのに苦心している。
さらに、一番の難点は尻尾を通す時や胴回りの着脱時に手間がかかるということである。
【０００６】
この問題を解決するために実用新案文献が存在する。文献の方法であれば、図１はふんどしのような形状を呈しており、仮に図１の腹当部１がペットの後脚の間（股）を通すのに適した幅であるとすると、腹帯の吸収材の幅も狭くなるためオスの場合は陰茎部が収まらない、またはずれて尿を十分吸収できないばかりか糞が受けられない恐れがある。逆に腹当部１が尿を吸収するのに適した幅であるとすると、後脚の間の部分はプリーツ状に寄ってしまい、臀部に沿わないばかりでなくペットの動きが制限されると思われる。また、たとえば犬の場合では腹部から後脚の付け根にむかって極端に細くなっていくため、図２にあるように装着時にＭのところに腹当部を留めつけたとしても、動くことのできる犬はもちろんのこと寝たきりの犬であっても腰紐が腹帯部を引っ張り、あるいは自然にＮにずれる可能性が大きく、オスでは陰茎部がおむつに収まらないため不適切であったり、カバーや使い捨ておむつ自体が脱落する恐れがある。逆に装着時にＮに留めつけた場合は、糞とメスの尿は吸収できるが、オスでは陰茎部がおむつに収まらず目的を果たすことができない。ずれるということは、つまり腹帯部が緩むということであり、いくら腰紐を尻尾の上でたすきがけにしても、それを留めつける腹帯部がしっかり装着できていないと、腰紐に腹帯が引っ張られ、ペットが足ではずそうとしなくても自然と脱落してしまう恐れがある。
さらに、出願から１０年以上が経過しているが、商品化された様子が見当たらないことからも実用的でないと考えられる。
【０００７】
そこで図５にあるように一方向に伸縮するニット生地を、幅を広くとった主ベルトと逆Ｙ字型部をはぎ合わせて本体を作成する。そうすることにより、ペットの胴体にしっかりと巻きつけられ副ベルトも伸縮するので、緩んだりずれたりする不安を解消することができると考えられる。
また、全体に丸みを帯びた形状なので、見た目がかわいく機能美のあるカバーに仕上がっている。
【特許文献１】実公平７−４２２９４
【考案の開示】
【考案が解決しようとする課題】
【０００８】
本考案は、ペットの個々の体形にフィットし、而もそのフィットの意識過剰によって、おむつカバーを強く締付けることとなり、ペットへの苦痛感、更には通気性、脱臭性を損なうことの解決と、併せて交換を含め着脱も容易とすること。
【課題を解決するための手段】
【０００９】
以上を解決するために本考案は、通気性、脱臭性のあるクッション材にて形成された中央腹当部とほぼ同幅に幅広の主ベルトを形成し、更に中央に上端を連ね腹当部と同様の通気性、脱臭性のあるクッション材を備えた幅狭の尻当部から二本の副ベルトを逆Ｙ字型に形成するように繋げ、この二本の副ベルトを尻尾の上でたすきがけにした後に副ベルトの下端に設けた平面接着部材を受けるもう一方の平面接着部材を主ベルトの合わせ目近くに二箇所設けて、伸縮性のある表側層と裏側層とで一体化した形状と成したことによって、ペットの個々の体形に副った適正なフットと、通気性、脱臭性も損なうことがなく、且つ交換を含め着脱も容易なペット用おむつカバー。
【考案の効果】
【００１０】
(１)請求項１により、中央腹当部及び主ベルト並びに尻当部からの二本の副ベルトを通気性、脱臭性のあるクッション材にて形成したので、そのクッション材にてペットの個々の体形に副って適正にフィットし、苦痛感を与えることなく、而もフィットの意識過剰によって、おむつカバーを強く締付けることによるペットへの苦痛感を与えることもなく、且つ通気性、脱臭性にも優れ、更に面状ファスナー、接着テープなどの平面接着部材によっておむつの交換を含め着脱も容易となる。
(２)請求項２により、主ベルトの中央腹当部及び尻当部を水分吸収材にて形成したから、ペットの糞、尿を吸収できる。
【考案を実施するための最良の形態】
【００１１】
以下、本考案の実施の形態を示す図面に基づいて説明する。
【実施例１】
【００１２】
布のおむつカバーでは、図３のように主ベルトＡと尻当部Ｂ、副ベルトＣ・Ｄの部分から成る本体に、オス用は斜線部１・２、メス用は斜線部２に通気性・脱臭性のあるクッション材をはさみ、厚手のニット生地を表に、薄手のニット生地を裏とパイピングＥを施してして形成する。
使用方法は、おむつカバーは斜線部１・２または斜線部２に紙おむつや生理用ナプキンを貼り付け、主ベルトＡの部分をペットの胴体に帯状に巻きつけ、背中で重ね合わせて裏面ａと表面ｂに取付けた面状ファスナーで留める。次に尻当部Ｂと副ベルトＣ・Ｄを後ろ足の間から通し副ベルトＣ・Ｄを尻尾の付け根の上でたすきがけにしてｃ・ｄに取付けた面状ファスナーを帯状に巻いた主ベルトＡの表面のｃに対してｆ、ｄに対してｅの面状ファスナーで留めつける。
【００１３】
本体はすべてニット生地で構成されているため伸縮性があり、図７に示す伸縮の方向にニット生地を用いると密着性が高くなる。
主ベルトの両端の面状ファスナーは主ベルトの幅と接着に必要な長さの面として設けるのではなく、図１１・１２に示すようにテープ状に形成したものを、接着時に上になる方を主ベルトの幅に対して平行に２本、下になる方を垂直に２本取り付け、重ね合わせた際に『井』型を構成するように取り付ける。この方法により面ではなく、どちらかというと点で接着するため面と面を正確に合わせる手間を必要とせず、動いているペットにも素早く確実に主ベルトを着用させることが可能である。また、この取り付け方法により、ニット生地の利点を損なわない上にサイズ調整が容易なものになる。
クッション材を備えるのはクッション材に付加された防臭、吸臭、通気性、保温性の効果もさることながら、おむつを取り付ける位置に設けることにより、おむつを外側から軽く押し当てることになるため、おむつがずれにくく密着度がさらに高くなるためである。
【実施例２】
【００１４】
水分吸収材を備えたおむつカバーの場合は、表を紙や防水材ポリエチレン系フィルム、裏は紙やポリエステル等の不織布を使用し、オス用は斜線部１・２、メス用は斜線部２に吸収材を取り付け、図中の斜線３・４に伸縮する素材、たとえばゴムや伸縮する糸をネット状に編んだものやシャーリングなどを、波線５・６・７にはギャザーを寄せて仕上げる。
使用方法は、主ベルトＡの部分をペットの胴体に帯状に巻きつけ、背中で重ね合わせて裏面ａと表面ｂに取付けた接着テープで留める。次に尻当部Ｂと副ベルトＣ・Ｄを後ろ足の間から通し副ベルトＣ・Ｄを尻尾の付け根の上でたすきがけにしてｃ・ｄに取付けた接着テープを帯状に巻いた主ベルトＡの表面のｃに対してｆ、ｄに対してｅのところに貼り付ける。
【００１５】
本考案の実施例１ではＥのパイピングの施し方にも工夫がある。通常は図９に示すように表面・裏面共にパイピングの生地がかかるように縫製するが、その方法であると本体とパイピングの生地の境目に段差が生じる。この段差は極めて小さいものであるが、寝たきりのペットでは蓐瘡（床ずれ）を起こす恐れがある。
そこで本考案では図１０に示すように、本体の表面にのみパイピングの施す方法も用意した。それにより寝たきりのペットの蓐瘡（床ずれ）を予防できると考える。
【００１６】
尚、大型のペットにおいては糞の量が多いため、実施例１のカバー内に収められたおむつでは対応しきれない恐れがある。その場合は本考案はおむつをカバーするものではなく、支えるものとする。具体的には図８にあるように股当部よりも大きいおむつを用意したり、横向きに当てたりし、股当部と副ベルトを装着する。
また、本考案はメスの生理用パンツとしても適している。
【図面の簡単な説明】
【００１７】
【図１】文献中の全体図
【図２】同上の腹帯を装着した図
【図３】本考案の全体を裏側から示す平面図
【図４】実施例１の面状ファスナーの取付位置を示す正面図
【図５】同上の背面図
【図６】同上をペットに装着した状態の図
【図７】同上の伸縮方向を示す図
【図８】同上でサイズの大きいおむつを使用し後部から見た図
【図９】同上のパイピング部分の断面図１
【図１０】同上のパイピング部分の断面図２
【図１１】同上の主ベルトの両端の面状ファスナーの状態図
【図１２】同上の面状ファスナーを接着した状態を示す透視図
【符号の説明】
【００１８】
Ａ  主ベルト
Ｂ  股当て
Ｃ  副ベルト
Ｄ  副ベルト
Ｅ  パイピング
１  クッション材
２  クッション材
３  シャーリング
４  シャーリング
５  ギャザー
６  ギャザー
ａ  面状ファスナー
ｂ  面状ファスナー
ｃ  面状ファスナー
ｄ  面状ファスナー
【図１】
0003123043.tif 000003
【図２】
0003123043.tif 000004
【図３】
0003123043.tif 000005
【図４】
0003123043.tif 000006
【図５】
0003123043.tif 000007
【図６】
0003123043.tif 000008
【図７】
0003123043.tif 000009
【図８】
0003123043.tif 000010
【図９】
0003123043.tif 000011
【図１０】
0003123043.tif 000012
【図１１】
0003123043.tif 000013
【図１２】
0003123043.tif 000014
【手続補正書】
【提出日】平成18年3月15日(2006.3.15)
【手続補正１】
【補正対象書類名】実用新案登録請求の範囲
【補正対象項目名】全文
【補正方法】変更
【補正の内容】
【実用新案登録請求の範囲】
【請求項１】
通気性、脱臭性のクッション材を備えた中央腹当部及び、この中央腹当部とほぼ同幅に形成され、且つ両端に面状ファスナー、接着テープなどの平面接着部材を設けた腹部に巻きつける幅広の主ベルトと、更にこの幅広の主ベルトの中央に上端を連ね腹当部と同様の通気性、脱臭性のクッション材を備えた幅狭の尻当部と、上端を前記尻当部に連ねて逆Ｙ字型に形成すると共に、しかもペットの尻尾の上で相互にたすきがけにして前記主ベルトの両端の間に設けられた平面接着部材と相互に接着する平面接着部材をそれぞれの下端に設けた二股状の副ベルトとでなしたことを特徴としたペット用おむつカバー。
【請求項２】
中央腹当部と尻当部を水分吸収材と紙や不織布とでなしたことを特徴としたペット用おむつカバー。
【手続補正２】
【補正対象書類名】明細書
【補正対象項目名】全文
【補正方法】変更
【補正の内容】
【考案の詳細な説明】
【技術分野】
【０００１】
本考案は布または紙、ポリエチレン系フィルムとポリエステル等の不織布からなるペット用おむつカバーに関する。
【背景技術】
【０００２】
医療の進歩や栄養・飼育環境の向上により、ペットの寿命が延び高齢化がすすんできた。しかしながら人間と同様に長く病を患ったり、寝たきりの状態が長引いたりして介護を必要とするペットが年々増える傾向にある。その際に飼い主の一番の負担が糞・尿の始末である。
わずかでも歩行が可能なペットは、本能と躾の成果により、ペット用トイレなど決まった場所に用をたしに行こうとするが、間に合わないことがある。歩行が不可能な場合は、しぐさなどで察知できることもあるが、つきっきりで見守っていなければならない。
また、ペットの状態によってはもよおすという感覚が失われている場合もある。
【０００３】
したがって、飼い主は看病と糞尿で汚れた敷物や床、ペット用トイレとその周囲の清掃に時間が費やされ、長引くと疲労が蓄積される。さらに大型犬ともなると体重が２０ｋｇを超えるものも少なくなく、敷物の交換だけでも大きな労力を要する。
同時にペットは本来きれい好きと言われている種類もあり、糞尿の汚れはそれらのペットにとっても不快であると推測される。
このような状態は人間同様、介護する人と、介護されるペットにとって好ましいことではない。
【０００４】
現在介護をしている飼い主は、ボロ布を腹部から尻尾にかけて敷き、汚れたらゴミとともに処分する、あるいは市販のペット用使い捨ておむつを利用していることが多い。
しかし、ボロ布は容易にずれてしまうし、ゴミとして処分することはいたずらにゴミを増やすことになり、環境上また衛生上好ましいことではない。
また、市販のペット用使い捨ておむつの現在の主流は、人間の乳幼児用と同じような形状に尻尾を通す穴が開いているものである。これは吸収性には優れているが、サイズ調整は胴回りの両脇の接着テープのみであるため、胴回りの太さ、尻尾の太さや位置に対応しきれず、窮屈になったり、ゆとりの部分が多くなりすぎたりしてしまう。
【０００５】
サイズ調整は重要で、サイズが合わなければおむつとしての機能を果たさないだけではなく歩行を妨げたり、可動範囲を狭めたりするおそれがある。よって、規格からはずれた大きさのペットの飼い主は、自身のペットに合うおむつを探すのに苦心している。
さらに、一番の難点は尻尾を通す時や胴回りの着脱時に手間がかかるということである。
【０００６】
この問題を解決するために実用新案文献が存在する。文献の方法であれば、図１はふんどしのような形状を呈しており、仮に図１の腹当部１がペットの後脚の間（股）を通すのに適した幅であるとすると、腹帯の吸収材の幅も狭くなるためオスの場合は陰茎部が収まらない、またはずれて尿を十分吸収できないばかりか糞が受けられない恐れがある。逆に腹当部１が尿を吸収するのに適した幅であるとすると、後脚の間の部分はプリーツ状に寄ってしまい、臀部に沿わないばかりでなくペットの動きが制限されると思われる。また、たとえば犬の場合では腹部から後脚の付け根にむかって極端に細くなっていくため、図２にあるように装着時にＭのところに腹当部を留めつけたとしても、動くことのできる犬はもちろんのこと寝たきりの犬であっても腰紐が腹帯部を引っ張り、あるいは自然にＮにずれる可能性が大きく、オスでは陰茎部がおむつに収まらないため不適切であったり、カバーや使い捨ておむつ自体が脱落する恐れがある。逆に装着時にＮに留めつけた場合は、糞とメスの尿は吸収できるが、オスでは陰茎部がおむつに収まらず目的を果たすことができない。ずれるということは、つまり腹帯部が緩むということであり、いくら腰紐を尻尾の上でたすきがけにしても、それを留めつける腹帯部がしっかり装着できていないと、腰紐に腹帯が引っ張られ、ペットが足ではずそうとしなくても自然と脱落してしまう恐れがある。
さらに、出願から１０年以上が経過しているが、商品化された様子が見当たらないことからも実用的でないと考えられる。
【０００７】
そこで図５にあるように一方向に伸縮するニット生地を、幅を広くとった主ベルトと逆Ｙ字型部をはぎ合わせて本体を作成する。そうすることにより、ペットの胴体にしっかりと巻きつけられ副ベルトも伸縮するので、緩んだりずれたりする不安を解消することができると考えられる。
また、全体に丸みを帯びた形状なので、見た目がかわいく機能美のあるカバーに仕上がっている。
【特許文献１】実公平７−４２２９４
【考案の開示】
【考案が解決しようとする課題】
【０００８】
本考案は、ペットの個々の体形にフィットし、而もそのフィットの意識過剰によって、おむつカバーを強く締付けることとなり、ペットへの苦痛感、更には通気性を損なうことの解決と、併せて交換を含め着脱も容易とすること。
【課題を解決するための手段】
【０００９】
以上を解決するために本考案は、通気性、脱臭性のクッション材を備えた中央腹当部とこの中央腹当部とほぼ同幅に形成され両端に面状ファスナー、接着テープなどの平面接着部材を設けた幅広の主ベルトと、更に中央に上端を連ね腹当部と同様の通気性、脱臭性のクッション材を備えた幅狭の尻当部と上端を前記尻当部に連ねて逆Ｙ字型に形成すると共に、しかもペットの尻尾の上で相互にたすきがけにして前記主ベルトの両端の間に設けられた平面接着部材と相互に接着する平面接着部材をそれぞれの下端に設けた二股状の副ベルトとで成したことによって、ペットの個々の体形に副った適正なフットと、通気性も損なうことがなく、且つ交換を含め着脱も容易にしたペット用おむつカバーである。
【考案の効果】
【００１０】
(１)請求項１により、中央腹当部及び主ベルト並びに尻当部からの二本の副ベルトを通気性、脱臭性のあるクッション材にて形成したので、そのクッション材にてペットの個々の体形に副って適正にフィットし、苦痛感を与えることなく、而もフィットの意識過剰によって、おむつカバーを強く締付けることによるペットへの苦痛感を与えることもなく、且つ通気性、脱臭性にも優れ、更に面状ファスナー、接着テープなどの平面接着部材によっておむつの交換を含め着脱も容易となる。
(２)請求項２により、主ベルトの中央腹当部及び尻当部を水分吸収材にて形成したから、ペットの尿を吸収できる。
【考案を実施するための最良の形態】
【００１１】
以下、本考案の実施の形態を示す図面に基づいて説明する。
【実施例１】
【００１２】
布のおむつカバーでは、図３のように主ベルトＡと尻当部Ｂ、副ベルトＣ・Ｄの部分から成る本体に、オス用はクッション材１・２、メス用はクッション材２を用い、厚手のニット生地を表に、薄手のニット生地を裏としパイピングＥを施してして形成する。
使用方法は、おむつカバーはクッション材１・２またはクッション材２に紙おむつや生理用ナプキンを貼り付け、主ベルトＡの部分をペットの胴体に帯状に巻きつけ、背中で重ね合わせて裏面ａと表面ｂに取付けた面状ファスナーで留める。次に尻当部Ｂと副ベルトＣ・Ｄを後ろ足の間から通し副ベルトＣ・Ｄを尻尾の付け根の上でたすきがけにしてｃ・ｄに取付けた面状ファスナーを帯状に巻いた主ベルトＡの表面のｃに対してｆ、ｄに対してｅの面状ファスナーで留めつける。
【００１３】
本体はすべてニット生地で構成されているため伸縮性があり、図７に示す伸縮の方向にニット生地を用いると密着性が高くなる。
主ベルトの両端の面状ファスナーは主ベルトの幅と接着に必要な長さの面として設けるのではなく、図１１・１２に示すようにテープ状に形成したものを、接着時に上になる方を主ベルトの幅に対して平行に２本、下になる方を垂直に２本取り付け、重ね合わせた際に『井』型を構成するように取り付ける。この方法により面ではなく、どちらかというと点で接着するため面と面を正確に合わせる手間を必要とせず、動いているペットにも素早く確実に主ベルトを着用させることが可能である。また、この取り付け方法により、ニット生地の利点を損なわない上にサイズ調整が容易なものになる。
クッション材を備えるのはクッション材に付加された防臭、吸臭、通気性、保温性の効果もさることながら、おむつを取り付ける位置に設けることにより、おむつを外側から軽く押し当てることになるため、おむつがずれにくくしかもフィットさせるためである。
【実施例２】
【００１４】
水分吸収材を備えたおむつカバーの場合は、表を紙や防水材ポリエチレン系フィルム、裏は紙やポリエステル等の不織布を使用し、オス用はクッション材１・２、メス用はクッション材２にクッション材の代わりに水分吸収材を取り付け、図中の３・４に伸縮する素材、たとえばゴムや伸縮する糸をネット状に編んだものやシャーリングなどを、５・６・７にはギャザーを寄せて仕上げる。
使用方法は、主ベルトＡの部分をペットの胴体に帯状に巻きつけ、背中で重ね合わせて裏面ａと表面ｂに取付けた接着テープで留める。次に尻当部Ｂと副ベルトＣ・Ｄを後ろ足の間から通し副ベルトＣ・Ｄを尻尾の付け根の上でたすきがけにしてｃ・ｄに取付けた接着テープを帯状に巻いた主ベルトＡの表面のｃに対してｆ、ｄに対してｅのところに貼り付ける。
【００１５】
本考案の実施例１ではＥのパイピングの施し方にも工夫がある。通常は図９に示すように表面・裏面共にパイピングの生地がかかるように縫製するが、その方法であると本体とパイピングの生地の境目に段差が生じる。この段差は極めて小さいものであるが、寝たきりのペットでは蓐瘡（床ずれ）を起こす恐れがある。
そこで本考案では図１０に示すように、本体の表面にのみパイピングの施す方法も用意した。それにより寝たきりのペットの蓐瘡（床ずれ）を予防できると考える。
【００１６】
尚、大型のペットにおいては糞の量が多いため、実施例１のカバー内に収められたおむつでは対応しきれない恐れがある。その場合は本考案はおむつをカバーするものではなく、支えるものとする。具体的には図８にあるように股当部よりも大きいおむつを用意したり、横向きに当てたりし、股当部と副ベルトを装着する。
また、本考案はメスの生理用パンツとしても適している。
【図面の簡単な説明】
【００１７】
【図１】文献中の全体図
【図２】同上の腹帯を装着した図
【図３】本考案の全体を裏側から示す平面図
【図４】実施例１の面状ファスナーの取付位置を示す正面図
【図５】同上の背面図
【図６】同上をペットに装着した状態の図
【図７】同上の伸縮方向を示す図
【図８】同上でサイズの大きいおむつを使用し後部から見た図
【図９】同上のパイピング部分の断面図１
【図１０】同上のパイピング部分の断面図２
【図１１】同上の主ベルトの両端の面状ファスナーの状態図
【図１２】同上の面状ファスナーを接着した状態を示す透視図
【符号の説明】
【００１８】
Ａ  主ベルト
Ｂ  股当て
Ｃ  副ベルト
Ｄ  副ベルト
Ｅ  パイピング
１  クッション材
２  クッション材
３  シャーリング
４  シャーリング
５  ギャザー
６  ギャザー
ａ  面状ファスナー
ｂ  面状ファスナー
ｃ  面状ファスナー
ｄ  面状ファスナー